(57)【要約】【課題】電子機器等の筐体カバー着脱機構において、筐体カバー１の着脱を容易とするとともに、筐体カバー１の係合部１ａと筐体３の差込みが外れて、筐体カバー１が脱落しないようする。【解決手段】支点となる係合部１ａを備えた筐体カバー１の着脱構造であって、当該筐体カバー１の内側に備えられた取付ブラケット２と装置の筐体３に固定された固定ブラケット４を係合して筐体カバー１を取付ける筐体カバー着脱機構において、  前記取付ブラケット２は、前記固定ブラケット４に備えた取付ネジ５に嵌る溝部２ｘと折り曲げ部２ｂを備え、前記固定ブラケット４は、前記折り曲げ部２ｂを取付け方向にガイドするスロープ部４ｂと、前記折り曲げ部２ｂが取外し方向に引っ掛かるストッパー部４ｃとを備えるようにした。【選択図】図２
2010153640.tif 000002
【特許請求の範囲】
【請求項１】
支点となる係合部を備えた筐体カバーの着脱構造であって、当該筐体カバーの内側に備えられた取付部材と装置筐体に固定された固定部材を係合して筐体カバーを取付ける筐体カバー着脱機構において、
前記取付部材は、前記固定部材に備えた取付ネジに嵌る溝部と折り曲げ部を備え、
前記固定部材は、前記折り曲げ部を取付け方向にガイドするスロープ部と、前記折り曲げ部が取外し方向に引っ掛かるストッパー部とを備えるようにしたことを特徴とする筐体カバーの着脱構造。
【請求項２】
前記係止部の筐体内部に差し込まれる長さを、筐体カバーを前記取付部材の板厚分持ち上げても脱落しない長さとしたことを特徴とする請求項１記載の筐体カバーの着脱構造。
【請求項３】
前記取付部材および前記固定部材を複数備え、それぞれの前記取付部材の折り曲げ部と、それぞれの前記固定部材のスロープ部およびストッパー部が前記取付部材または前記固定部材間を中心として略対称の形状となるようにしたことを特徴とする請求項１または請求項２記載の筐体カバーの着脱構造。
【請求項４】
前記溝部近傍にテーパ部を設けたことを特徴とする請求項１ないし請求項３いいずれか記載の筐体カバーの着脱構造。
【発明の詳細な説明】
【技術分野】
【０００１】
本発明は、電子機器等の筐体カバーを安全に着脱する構造に関するものである。
【背景技術】
【０００２】
比較的大型の電子機器等の背面などに備える従来の筐体カバーの着脱構造は、図１１（上面図）および図１２（側面図）に示したように、下部に係止部１０１ａを備えた筐体カバー１０１と、孔１０２ａが備えられた取付ブラケット１０２と、下部に開口部１０３ａが備えられた筐体１０３と、固定ブラケット１０４と、取付ネジ１０５とから構成され、筐体カバー１０１の取付けは、図１３に示したように係止部１０１ａを開口部１０３ａに通し筐体１０３に係合させ、筐体カバー１０１を図中Ｃ方向に押し上げ、筐体カバー１０１の上部にある取付ブラケット１０２により筐体１０３の上部左右に備えられた固定ブラケット１０４の上面に合わせる（例えば、特許文献１参照）。
【０００３】
なお、取付ネジ１０５はあらかじめ固定ブラケット１０４に仮止めしてあり、取付ブラケット１０２には図１１のように取付ネジ１０５のワッシャより一回り大きい孔１０２ａを有しており、図１４に示したように、矢印Ｕ方向に筐体カバー１０１を持ち上げ、孔１０２ａに取付ネジ５を矢印Ｄ方向のように上から嵌め込む。
【０００４】
そして、さらに矢印Ｃ方向に筐体カバー１０１を押すと、取付ブラケット１０２の孔１０２ａが図１１のように閉じ形状となっており溝部１０２ｄが設けられているので、取付ネジ１０５が溝部１０２ｄに嵌まり、筐体カバー１０１が固定され落下しないようになる（例えば、特許文献２参照）。
【０００５】
また、筐体カバー１０１の取外しは、筐体カバー１０１を矢印Ｃ方向とは逆の方向に引き、取付ネジ１０５を孔１０２ａに合わせて、矢印Ｄ方向とは逆の上方に引き抜いて行っていた。
【特許文献１】特開平６−１７７５５２号公報
【特許文献２】特開平１０−１４０２０号公報
【発明の開示】
【発明が解決しようとする課題】
【０００６】
しかしながら、上記従来の筐体カバーの着脱構造では、取付ブラケット１０２の孔１０２ａが筐体カバー１０１の内側にあり、取付ネジ１０５が筐体１０３の固定ブラケット１０４に仮止めされているため、目視しにくい状態で孔１０２ａに取付ネジ１０５を上から嵌めなければならず、筐体カバー１０１を取付ネジ１０５の突出分持ち上げる際に、筐体カバー１０１の係合部１０１ａと筐体１０３の差込みが外れて、筐体カバー１０１が脱落してしまうという場合があった。また、取外しの場合においても、取付ネジ１０５を鍵孔１０２ａに合わせることが目視しにくく、取り外し難いという問題もあった。
【０００７】
また、前述の取付けの際の筐体カバー１０１の脱落を防止するために、筐体カバー１の係合部１０１ａの長さを筐体カバー１の取り付け操作の際に持ち上げる分を見込んだ十分な長さとすると、係合部１０１ａの差込み操作に必要な上下方向の移動量がその分長くなり、その移動の間、重い筐体カバー１０１を保持し続けなければならなくなるという問題があった。
【課題を解決するための手段】
【０００８】
本発明は、前述の課題を解決するために次の手段を採用する。すなわち、本発明は、支点となる係合部を備えた筐体カバーの着脱構造であって、当該筐体カバーの内側に備えられた取付部材と装置筐体に固定された固定部材を係合して筐体カバーを取付ける筐体カバー着脱機構において、前記取付部材は、前記固定部材に備えた取付ネジに嵌る溝部と折り曲げ部を備え、前記固定部材は、前記折り曲げ部を取付け方向にガイドするスロープ部と、前記折り曲げ部が取外し方向に引っ掛かるストッパー部とを備えるようにした。
【発明の効果】
【０００９】
本発明の筐体カバー着脱機構によれば、支点となる係合部を備えた筐体カバーの着脱構造であって、当該筐体カバーの内側に備えられた取付部材と装置筐体に固定された固定部材を係合して筐体カバーを取付ける筐体カバー着脱機構において、前記取付部材は、前記固定部材に備えた取付ネジに嵌る溝部と折り曲げ部を備え、前記固定部材は、前記折り曲げ部を取付け方向にガイドするスロープ部と、前記折り曲げ部が取外し方向に引っ掛かるストッパー部とを備えるようにしたので、取付けが容易となり、また、取付けの際に筐体カバーの前記係合部と装置筐体の差込みが外れて筐体カバーが脱落することがない。
【発明を実施するための最良の形態】
【００１０】
以下、本発明に係る実施の形態例を、図面を用いて説明する。なお、図面に共通する要素には同一の符号を付す。なお、筐体カバーとしては背面のカバーとして以下説明するが、前面や側面に取り付けるカバーであっても同様に本発明を適用することができる。
【実施例】
【００１１】
（構成）
図１および図２は実施例の筐体カバーの着脱構造を示す上面図および側面図である。同図に示したように、実施例の筐体カバーの着脱構造は、図示しない装置の、例えば背面の筐体カバーであり下部に係止部１ａが設けられた筐体カバー１と、装置背面側から見て筐体カバー１の上部左右２箇所に取り付けられた取付ブラケット２と、装置下部に開口部３ａが設けられた筐体３と、筐体カバー１が取り付けられたときに前記取付ブラケット２と対向するように左右２箇所に装置に固定され設けられた固定ブラケット４と、固定ブラケット４に取り付けられた取付ネジ５とから構成される。
【００１２】
また、筐体カバー１の取付ブラケット２には板厚曲げの折り曲げ部２ｂが設けられており、一方、装置側の固定ブラケット４にはスロープ部４ｂが設けられている。
【００１３】
ここで、図２下側に示したように、筐体カバー１の係止部１ａが筐体３の内部に差し込まれる部分の長さＬａは、筐体カバー１を取り付ける際に筐体カバー１が取付ブラケット２の板厚分持ち上がっても筐体カバー１が脱落しない程度とし、必要最小限の長さとなっている。
【００１４】
（動作）
以上の構成により実施例の筐体カバーの着脱構造は、以下のように動作する。  この動作を、図３および図４の実施例の筐体カバーの着脱構造の取付け時の動作説明図（それぞれ上面図、側面図）、図５および図６の実施例の筐体カバーの着脱構造の取外し時の動作説明図（それぞれ上面図、側面図）、を用い、以下詳細に説明する。
【００１５】
まず、筐体カバー１を取り付ける場合、図３および図４に示したように、筐体カバー１下部の係止部１ａを筐体３の開口部３ａに通し筐体３に差し込み、筐体カバー１の上部にある取付ブラケット２を矢印Ａ方向に押し込むことにより、装置の筐体３に備えた左右の固定ブラケット４のスロープ部４ｂに当接し、さらに押し込むことにより取付ブラケット２の板厚であるＬｚ分、矢印Ｕ方向に持ち上がり、スロープ部４ｂに沿って進み、固定ブラケット４のスットパー部４ｃを乗り越える。
【００１６】
そして、固定ブラケット４のスットパー部４ｃを乗り越えると、取付ブラケット２の折り曲げ部２が矢印Ｕ方向とは逆の方向に下がり、さらに押し込むと、取付ブラケット２の溝部２ｘと取付ネジ５が嵌り、突き当たった位置、すなわち図１、図２の位置で止まる。そして、左右２つの取付ネジ５で固定する。
【００１７】
筐体カバー１を取り外す場合は、図５および図６に示したように、筐体３の内部に位置する取付ネジ５を取付ブラケット２の板厚Ｌｚ＋数ミリ分緩める。そして、筐体カバー１の上部を手前（矢印Ｂ方向）に引き出すことで、取付ブラケット２の折り曲げ部２ｂが固定ブラケット４のストッパー部４ｃに突き当たる。この状態が図５および図６の状態である。
【００１８】
この位置で、筐体カバー１を矢印Ｕ方向に取付ブラケット２の板厚＋数ミリ分持ち上げると溝部２ｘが取付ネジ５に突き当たる。この状態で取付ブラケット２の折り曲げ部２ｂは固定ブラケット４のストッパー部４ｃから外れ、この位置から手前方向、すなわちＢ方向に引き出すことで筐体カバー１を取り外す。
【００１９】
なお、以上の実施例の説明では、取付ブラケット２の一方の端部側に切込み２ｙを設け、突出側先端部に折り曲げ部２ｂを、切込み側に溝部２ｘを設け、一方、筐体３の固定ブラケット４にストッパー部４ｃを設けるように説明したが、図７（上面図）および図８（側面図）に示したように、筐体カバー１に取り付けられた取付ブラケット２の略中央部分に溝部２ｘを設け、両端に折り曲げ部２ｂを設け、一方、装置の筐体３の固定ブラケット４に折り曲げ部２ｂに対向した位置に孔部４ｅ、４ｆを設けるようにしてもよい。
【００２０】
このような構成としても、筐体カバー１下部の係合部１ａを筐体３に差し込み、矢印Ｘ方向に筐体カバー１を移動させ、実施例と同様に操作することにより筐体カバー１が脱落することなく、着脱することができる。
【００２１】
或いは、さらに、図９に示したように、溝部２ｘにテーパ部２ｚを設けるようにすれば、Ｘ方向に筐体カバー１を移動させるときにスムーズに取付ネジ５に嵌めこむことができる。
【００２２】
また、以上の実施例の説明では、装置背面側から見た左右の取付ブラケット２、固定ブラケットの形状を同様にするように説明したが、図１０に示したように、左右対称の形状とすれば、取り付けの際、取付ネジ５と左右位置を合わせやすくなり、筐体カバー１が脱落するおそれがさらに少なくなる。
【００２３】
そして、図１０の斜線部として示したように、テーパ２ｚを、切込み２ｙや溝２ｘに設けるようにすれば、スムーズに溝部２ｘを取付ネジ５に嵌めこむことができる。
【００２４】
（実施例の効果）
以上にように実施例の筐体カバーの着脱構造によれば、支点となる係合部１ａを備えた筐体カバー１の着脱構造であって、当該筐体カバー１の内側に備えられた取付ブラケット２と装置の筐体３に固定された固定ブラケット４を係合して筐体カバー１を取付ける筐体カバー着脱機構において、前記取付ブラケット２は、前記固定ブラケット４に備えた取付ネジ５に嵌る溝部２ｘと折り曲げ部２ｂを備え、前記固定ブラケット４は、前記折り曲げ部２ｂを取付け方向にガイドするスロープ部４ｂと、前記折り曲げ部２ｂが取外し方向に引っ掛かるストッパー部４ｃとを備えるようにしたので、溝部２ｘと取付ネジ５が見難くても、取付けが容易となり、また、取付けの際に筐体カバー１の係合部１ａと筐体３の差込みが外れて筐体カバー１が脱落することがない。
【００２５】
また、筐体カバー１の係止部１ａが筐体３の内部に差し込まれる部分の長さＬａを筐体カバー１を取り付ける際に筐体カバー１が取付ブラケット２の板厚Ｌｚ分持ち上がっても筐体カバー１が脱落しない程度としたので、取付けの際に持ち上げる距離が短くなり、重い筐体カバー１を持ち上げる時間も短くなる。
【００２６】
また、筐体カバー１の取り外しの際でも、溝部２ｘと取付ネジ５が見難くても、取り外しが容易となるとともに、取り外しの際に持ち上げる長さが短くなり、重い筐体カバー１を保持する時間も短くなる。
【産業上の利用可能性】
【００２７】
以上述べたように、本発明は、筐体カバーの取外しを要する切符や航空券等を取扱う発券機や現金自動預払機などの比較的大型の機器等に広く用いることができる。
【図面の簡単な説明】
【００２８】
【図１】実施例の筐体カバーの構成図（上面図）である。
【図２】実施例の筐体カバーの構成図（側面図）である。
【図３】実施例の筐体カバーの取付け動作説明図（上面図）である。
【図４】実施例の筐体カバーの取付け動作説明図（側面図）である。
【図５】実施例の筐体カバーの取外し動作説明図（上面図）である。
【図６】実施例の筐体カバーの取外し動作説明図（側面図）である。
【図７】実施例の変形例の筐体カバーの構成図（上面図）である。
【図８】実施例の変形例の筐体カバーの構成図（側面図）である。
【図９】実施例の変形例の筐体カバーの構成図（上面図）である。
【図１０】実施例の変形例の筐体カバーの構成図（上面図）である。
【図１１】従来の筐体カバーの構成図（上面図）である。
【図１２】従来の筐体カバーの構成図（側面図）である。
【図１３】従来の筐体カバーの取り付け動作説明図（側面図）である。
【図１４】従来の筐体カバーの取り付け動作説明図（側面図）である。
【符号の説明】
【００２９】
１    筐体カバー
１ａ  係止部
２    取付ブラケット
２ｂ  折り曲げ部
２ｘ  溝部
２ｙ  切込み
２ｚ  テーパ部
３    筐体
３ａ  開口部
４    固定ブラケット
４ｂ  スロープ部
４ｃ  ストッパー部
４ｅ、４ｆ  孔部
５    取付ネジ
【図１】
2010153640.tif 000003
【図２】
2010153640.tif 000004
【図３】
2010153640.tif 000005
【図４】
2010153640.tif 000006
【図５】
2010153640.tif 000007
【図６】
2010153640.tif 000008
【図７】
2010153640.tif 000009
【図８】
2010153640.tif 000010
【図９】
2010153640.tif 000011
【図１０】
2010153640.tif 000012
【図１１】
2010153640.tif 000013
【図１２】
2010153640.tif 000014
【図１３】
2010153640.tif 000015
【図１４】
2010153640.tif 000016